(57)【要約】【課題】組電池を構成する単電池の電圧検出を簡素な回路構成で行えるようにする。【解決手段】複数の単電池１ａ，１ｂ，１ｃ，１ｄを直列に接続した組電池１における各単電池に対して並列に接続されるコンデンサ２ａ，２ｂ，２ｃ，２ｄが備えられ、複数のコンデンサに各単電池で充電した後に充電されたコンデンサ夫々の保持電圧を電圧検出用素子ＳＤの入力端子４ａ，４ｂへ入力させる組電池用電圧検出装置において、電位での並び順において隣合うコンデンサが同じグループに属さないように複数のグループにグループ分けされた複数のコンデンサについて、同一のグループに属するコンデンサに対応する配線が同一の入力端子へ接続され、コンデンサ夫々の低電位側を組電池全体の負極側に接続し且つ高電位側を前記入力端子へ接続する操作を、複数のコンデンサについて、低電位側から高電位側へと順次に繰り返す。【選択図】図１
2008175597.tif 000002
【特許請求の範囲】
【請求項１】
複数の単電池を直列に接続した組電池における各単電池に対して並列に接続されるコンデンサと、
前記各単電池の正極側と前記コンデンサの夫々との間の配線の途中に配置されてその配線の通電を入り切りする複数の電池側スイッチ装置と、
直列に接続されている複数の前記コンデンサの夫々に対応して、前記コンデンサの夫々の高電位側から電圧検出用素子の入力端子に向かう電圧検出用の配線の途中に配置されてその配線の通電を入り切りする複数のコンデンサ側スイッチ装置と、
前記電圧検出用の配線を前記組電池全体の負極側に接続するグラウンド接続用の配線の途中に配置されてその配線の通電を入り切りする複数のグラウンド接続用スイッチ装置と、
前記電池側スイッチ装置，前記コンデンサ側スイッチ装置及び前記グラウンド接続用スイッチ装置の開閉を制御するスイッチ制御装置とが備えられ、
前記スイッチ制御装置は、前記電池側スイッチ装置を閉じ状態として複数の前記コンデンサに充電した後に前記電池側スイッチ装置を開き状態に切換え、その後、充電された前記コンデンサ夫々の保持電圧を前記入力端子へ入力させるように前記コンデンサ側スイッチ装置及び前記グラウンド接続用スイッチ装置を開閉制御するように構成されている組電池用電圧検出装置であって、
電位での並び順において隣合うコンデンサが同じグループに属さないように複数のグループにグループ分けされた複数の前記コンデンサについて、
前記電圧検出用の配線における、前記コンデンサ側スイッチ装置よりも前記入力端子側の部分において、同一の前記グループに属する前記コンデンサに対応する配線が１つにまとめられて同一の前記入力端子へ接続され、
前記グラウンド接続用の配線は、前記グループ毎に、前記電圧検出用の配線における、前記コンデンサ側スイッチ装置よりも前記入力端子側の部分に対して接続され、
前記スイッチ制御装置は、前記コンデンサ夫々の低電位側を前記組電池全体の負極側に接続し且つ高電位側を前記入力端子へ接続する操作を、前記複数のコンデンサについて、低電位側から高電位側へと順次に繰り返すように、前記コンデンサ側スイッチ装置及び前記グラウンド接続用スイッチ装置を開閉制御するように構成されている組電池用電圧検出装置。
【請求項２】
前記複数のグループは、電位での並び順において奇数番目の並び順のグループと偶数番目の並び順のグループとの２つのグループに分けられている請求項１記載の組電池用電圧検出装置。
【発明の詳細な説明】
【技術分野】
【０００１】
本発明は、複数の単電池を直列に接続した組電池における各単電池に対して並列に接続されるコンデンサと、前記各単電池の正極側と前記コンデンサの夫々との間の配線の途中に配置されてその配線の通電を入り切りする複数の電池側スイッチ装置と、直列に接続されている複数の前記コンデンサの夫々に対応して、前記コンデンサの夫々の高電位側から電圧検出用素子の入力端子に向かう電圧検出用の配線の途中に配置されてその配線の通電を入り切りする複数のコンデンサ側スイッチ装置と、前記電圧検出用の配線を前記組電池全体の負極側に接続するグラウンド接続用の配線の途中に配置されてその配線の通電を入り切りする複数のグラウンド接続用スイッチ装置と、前記電池側スイッチ装置，前記コンデンサ側スイッチ装置及び前記グラウンド接続用スイッチ装置の開閉を制御するスイッチ制御装置とが備えられ、前記スイッチ制御装置は、前記電池側スイッチ装置を閉じ状態として複数の前記コンデンサに充電した後に前記電池側スイッチ装置を開き状態に切換え、その後、充電された前記コンデンサ夫々の保持電圧を前記入力端子へ入力させるように前記コンデンサ側スイッチ装置及び前記グラウンド接続用スイッチ装置を開閉制御するように構成されている組電池用電圧検出装置に関する。
【背景技術】
【０００２】
かかる組電池用電圧検出装置は、組電池を構成する各単電池の動作状態を監視する等のために、各単電池の電池電圧を個別に検出するための装置である。
かかる装置としては、従来、例えば下記特許文献１に記載のような回路構成が提案されている。
下記特許文献１に記載の電圧検出回路は、図４に示すように、組電池１００として４個の単電池１００ａ，１００ｂ，１００ｃ，１００ｄを直列に接続して構成した場合を例示して説明すると、各単電池１００ａ，１００ｂ，１００ｃ，１００ｄの夫々と並列に４個のコンデンサ１０１，１０２，１０３，１０４を接続している。
４個の単電池１００ａ，１００ｂ，１００ｃ，１００ｄは直列に接続されているので、４個のコンデンサ１０１，１０２，１０３，１０４も直列に接続されていることになる。
各単電池１００ａ，１００ｂ，１００ｃ，１００ｄの正極側とコンデンサ１０１，１０２，１０３，１０４の夫々との間の配線の途中にはスイッチ１０５，１０６，１０７，１０８が配置され、直列に接続されている４個のコンデンサ１０１，１０２，１０３，１０４の夫々に対応して、コンデンサ１０１，１０２，１０３の夫々の高電位側から電圧検出用素子の入力端子に向かう電圧検出用の配線の途中にスイッチ１０９，１１０，１１１が配置されている。
更に、前記電圧検出用の配線を組電池１００全体の負極側（すなわち、最も低電位側に位置する単電池１００ｄの負極側）に接続する配線の途中にスイッチ１１２，１１３，１１４が配置されている。この組電池１００全体としての負極側はグラウンドに相当するものであり、前記電圧検出用素子のグラウンド端子へも接続されている。
尚、図４の回路では、コンデンサ１０４の高電位側が電圧検出用素子に直接接続されていても問題ないのでスイッチを省略している。
又、前記電圧検出用素子として、Ａ／Ｄコンバータを内蔵したマイクロプロセッサ１１５を例示している。
【０００３】
図４の回路においては、各スイッチの開閉制御はマイクロプロセッサ１１５が行う。
各単電池１００ａ，１００ｂ，１００ｃ，１００ｄの電圧検出の手順を概略的に説明すると、全てのスイッチが開き状態（オフ状態）となっている状態から、電圧検出のためのシーケンスが開始されると、先ず、スイッチ１０５，１０６，１０７，１０８を閉じ状態（オン状態）とする。
これによって、コンデンサ１０１，１０２，１０３，１０４が、夫々対応している単電池１００ａ，１００ｂ，１００ｃ，１００ｄの電池電圧によって充電される。
この充電の完了後にスイッチ１０５，１０６，１０７，１０８を開き状態とすると、各コンデンサ１０１，１０２，１０３，１０４に電池電圧に相当する電圧が保持される。
【０００４】
この時点で、入力端子「Ａ／Ｄ１」には単電池１００ｄの電池電圧を保持しているコンデンサ１０４の保持電圧が入力され、単電池１００ｄの電池電圧を検出できる。
次ぎに、スイッチ１１４を閉じ状態に切換えてコンデンサ１０３の低電位側をグラウンドに接続すると共にコンデンサ１０４を放電させる。
この状態でスイッチ１１１を閉じ状態とすると、入力端子「Ａ／Ｄ２」には単電池１００ｃの電池電圧を保持しているコンデンサ１０３の保持電圧が入力され、単電池１００ｃの電池電圧を検出できる。
以後、同様に、スイッチ１０９，１１０，１１２，１１３の開閉を制御して、コンデンサ１０１，１０２の保持電圧を入力端子「Ａ／Ｄ３」，「Ａ／Ｄ４」に順次に入力させる。
【０００５】
このようにして各単電池１００ａ，１００ｂ，１００ｃ，１００ｄの電圧検出を行うことで、マイクロプロセッサ１１５では各単電池１００ａ，１００ｂ，１００ｃ，１００ｄの電池電圧を検出タイミングを順次にずらせて検出するものの、検出する電圧値自体は同時に各単電池１００ａ，１００ｂ，１００ｃ，１００ｄから出力されたものであるので、検出時間のずれによる誤差が発生しない。
更には、マイクロプロセッサ１１５の入力端子にかかる電圧は、各単電池１００ａ，１００ｂ，１００ｃ，１００ｄの個別の電圧であるので、単電池の個数が多数であっても入力端子にかかる電圧は低く、入力端子の耐電圧特性をそれほど考慮する必要がないと共に電圧検出の分解能を高くできるものとなっている。
【特許文献１】特開２００１−５６３５０号公報
【発明の開示】
【発明が解決しようとする課題】
【０００６】
しかしながら、上記従来構成では、電圧検出用素子の入力端子を単電池の個数分だけ必要とするため、特に単電池を多数個備える場合に、入力端子が多数個必要となって電圧検出用素子の構成が複雑化してしまう。
又、それに伴って、必要なスイッチの個数も増大してしまう。
本発明は、かかる実情に鑑みてなされたものであって、その目的は、組電池を構成する単電池の電圧検出を簡素な回路構成で行えるようにする点にある。
【課題を解決するための手段】
【０００７】
本出願の第１の発明は、複数の単電池を直列に接続した組電池における各単電池に対して並列に接続されるコンデンサと、前記各単電池の正極側と前記コンデンサの夫々との間の配線の途中に配置されてその配線の通電を入り切りする複数の電池側スイッチ装置と、直列に接続されている複数の前記コンデンサの夫々に対応して、前記コンデンサの夫々の高電位側から電圧検出用素子の入力端子に向かう電圧検出用の配線の途中に配置されてその配線の通電を入り切りする複数のコンデンサ側スイッチ装置と、前記電圧検出用の配線を前記組電池全体の負極側に接続するグラウンド接続用の配線の途中に配置されてその配線の通電を入り切りする複数のグラウンド接続用スイッチ装置と、前記電池側スイッチ装置，前記コンデンサ側スイッチ装置及び前記グラウンド接続用スイッチ装置の開閉を制御するスイッチ制御装置とが備えられ、前記スイッチ制御装置は、前記電池側スイッチ装置を閉じ状態として複数の前記コンデンサに充電した後に前記電池側スイッチ装置を開き状態に切換え、その後、充電された前記コンデンサ夫々の保持電圧を前記入力端子へ入力させるように前記コンデンサ側スイッチ装置及び前記グラウンド接続用スイッチ装置を開閉制御するように構成されている組電池用電圧検出装置であって、電位での並び順において隣合うコンデンサが同じグループに属さないように複数のグループにグループ分けされた複数の前記コンデンサについて、前記電圧検出用の配線における、前記コンデンサ側スイッチ装置よりも前記入力端子側の部分において、同一の前記グループに属する前記コンデンサに対応する配線が１つにまとめられて同一の前記入力端子へ接続され、前記グラウンド接続用の配線は、前記グループ毎に、前記電圧検出用の配線における、前記コンデンサ側スイッチ装置よりも前記入力端子側の部分に対して接続され、前記スイッチ制御装置は、前記コンデンサ夫々の低電位側を前記組電池全体の負極側に接続し且つ高電位側を前記入力端子へ接続する操作を、前記複数のコンデンサについて、低電位側から高電位側へと順次に繰り返すように、前記コンデンサ側スイッチ装置及び前記グラウンド接続用スイッチ装置を開閉制御するように構成されている。
【０００８】
すなわち、複数の単電池を直列に接続して構成した組電池における各単電池の電池電圧を検出するについて、各単電池に対して並列にコンデンサを接続して、各単電池と各コンデンサとの間の配線の通電を入り切りする電池側スイッチ装置を閉じ状態（オン状態）として各単電池の電圧でコンデンサを充電してから、電池側スイッチ装置を開き状態（オフ状態）に戻し、各コンデンサの電圧を検出することで各単電池の電池電圧を検出する。
各コンデンサの電圧を検出するについては、各コンデンサの個数に対応した数の電圧検出用素子の入力端子を備えるのではなく、それら複数のコンデンサをグループ分けして、グループ毎に電圧検出用素子の入力端子を備える構成とする。
【０００９】
この複数のコンデンサのグループ分けのやり方としては、複数のコンデンサを電位での並び順において隣合うコンデンサが同じグループに属さないようにグループ分けする。
複数のコンデンサは夫々単電池と並列に接続されているのであるが、その単電池が直列に接続されているために、複数のコンデンサの方も直列に接続される関係にある。
このようにグループ分けされた複数のコンデンサは、上述のように、同じグループに属するコンデンサからの配線は同じ入力端子に接続される。
更に、各コンデンサの高電位側から前記入力端子へ至る電圧検出用の配線は、コンデンサ側スイッチ装置によって、各コンデンサ毎に個別に通電が入り切りされ、コンデンサ側スイッチ装置よりも前記入力端子側の位置で同じグループのコンデンサに対応する配線が１つにまとめられて接続される。
電圧検出用の配線を組電池全体の負極側（便宜上、この位置を「グラウンド」と称する）に接続するグラウンド接続用の配線は、同じグループで１つにまとめられた状態の位置に接続され、上記のグループ単位で備えられることになる。
【００１０】
このように電気配線された状態で、スイッチ制御装置は、各コンデンサが夫々の対応する単電池の電池電圧によって充電された状態から、各コンデンサの電圧を個別に検出して行くように制御する。
すなわち、直列に接続されている複数のコンデンサ夫々の低電位側をグラウンドに接続し且つ高電位側を前記入力端子へ接続する操作を、低電位側から高電位側へと順次に繰り返す。
【００１１】
具体的には、あるコンデンサについて、そのコンデンサの低電位側に連なるコンデンサ側スイッチ装置及びそのコンデンサ側スイッチ装置に連なるグラウンド接続用スイッチ装置の双方を閉じ状態（オン状態）とすることでグラウンド側に接続し、そのコンデンサの高電位側に連なるコンデンサ側スイッチ装置を閉じ状態（オン状態）とすると共に、そのコンデンサ側スイッチ装置に連なるグラウンド接続用スイッチ装置を開き状態（オフ状態）とすることで前記入力端子（電圧検出用素子）へ接続する。
コンデンサの低電位側をグラウンドに接続すると、そのコンデンサよりも低電位側のコンデンサが放電されることになるが、その放電するコンデンサの電圧については既に検出が完了しているように、各コンデンサの電圧の検出順序を設定している。
【００１２】
電位での並び順において隣接するコンデンサは同じグループに属さないようにグループ分けを行っているので、各コンデンサにおいてグラウンド側への接続と前記入力端子（電圧検出用素子）への接続とを独立して行うことができ、上記のような制御が可能となる。
【００１３】
又、本出願の第２の発明は、上記第１の発明の構成に加えて、前記複数のグループは、電位での並び順において奇数番目の並び順のグループと偶数番目の並び順のグループとの２つのグループに分けられている。
すなわち、電位での並び順において隣接するコンデンサは同じグループに属さないようにグループ分けを行う手法としては、例えば、グループの数を３グループ以上として、各コンデンサを電位での並び順で各グループに順々に振分けて行くような手法も可能であるが、奇数番目のコンデンサと偶数番目のコンデンサとにグループ分けすることで、グループの数を最少の２グループにすることができる。
【発明の効果】
【００１４】
上記第１の発明によれば、各単電池の電池電圧を保持するコンデンサを複数のグループに分けて、グループ毎に、電圧検出用素子の入力端子とグラウンド接続用スイッチ装置とを備える関係となるので、各コンデンサ毎にそれらを備える場合に較べて、組電池を構成する単電池の電圧検出を簡素な回路構成で行えるものとなった。
又、上記第２の発明によれば、グループの数を最少の２グループとすることで、各単電池の電圧検出を極めて簡素な回路構成で行えるものとなった。
【発明を実施するための最良の形態】
【００１５】
以下、本発明の組電池用電圧検出装置の実施の形態を図面に基づいて説明する。
図１は、組電池１と組電池用電圧検出装置ＶＳとを回路的に接続した状態の回路構成を示している。
組電池１は複数の単電池１ａ，１ｂ，１ｃ，１ｄを直列に接続して構成したものであり、本実施の形態では、説明の便宜上、４個の単電池１ａ，１ｂ，１ｃ，１ｄを直列に接続した場合を例示して説明する。但し、実際には、もっと多数の単電池を直列に接続して組電池を構成している。単電池１ａ，１ｂ，１ｃ，１ｄは二次電池の１例であるリチウムイオン電池であるが、このような二次電池に限らず各種の組電池に本発明を適用できる。
【００１６】
組電池用電圧検出装置ＶＳは、各単電池１ａ，１ｂ，１ｃ，１ｄに対してコンデンサ２ａ，２ｂ，２ｃ，２ｄを並列に接続して、各単電池１ａ，１ｂ，１ｃ，１ｄの電池電圧で夫々に対応するコンデンサ２ａ，２ｂ，２ｃ，２ｄを充電し、充電を完了したコンデンサ２ａ，２ｂ，２ｃ，２ｄの電圧を順次に検出して行く形態をとる。
各単電池１ａ，１ｂ，１ｃ，１ｄの正極側とコンデンサ２ａ，２ｂ，２ｃ，２ｄの夫々との配線の途中箇所には、その配線の通電を入り切りして、各単電池１ａ，１ｂ，１ｃ，１ｄで対応するコンデンサ２ａ，２ｂ，２ｃ，２ｄを充電するか否かを切換える複数（４個）の電池側スイッチ装置３ａ，３ｂ，３ｃ，３ｄが配置されている。
本実施の形態では、この電池側スイッチ装置３ａ，３ｂ，３ｃ，３ｄはアナログスイッチにて構成されている。
【００１７】
各コンデンサ２ａ，２ｂ，２ｃ，２ｄの電圧はその電圧を検出するための回路素子へ入力されて検出されるのであるが、本実施の形態ではこの電圧検出用素子ＳＤとしてマイクロプロセッサ４を備えている。
本実施の形態のマイクロプロセッサ４は、メモリやＡ／Ｄコンバータ等の周辺回路をも内蔵した、いわゆるワンチップマイコンと称されるものである。
【００１８】
マイクロプロセッサ４における電圧検出用の入力端子４ａ，４ｂは、図１において「Ａ／Ｄ１」及び「Ａ／Ｄ２」として示す２つの入力端子であり、この端子はマイクロプロセッサ４に内蔵されているＡ／Ｄコンバータの入力端子となっている。
各コンデンサ２ａ，２ｂ，２ｃ，２ｄの夫々の高電位側から入力端子４ａ，４ｂに向かう電圧検出用の配線ＳＣの途中箇所には、その配線ＳＣの通電を入り切りする複数（４個）のコンデンサ側スイッチ装置５ａ，５ｂ，５ｃ，５ｄが、直列に接続されている複数（４個）のコンデンサ２ａ，２ｂ，２ｃ，２ｄの夫々に対応して配置されている。
本実施の形態では、このコンデンサ側スイッチ装置５ａ，５ｂ，５ｃ，５ｄもアナログスイッチにて構成されている。
【００１９】
電圧検出用の配線ＳＣは、各コンデンサ２ａ，２ｂ，２ｃ，２ｄから出た時点では４本であるが、前記入力端子４ａ，４ｂが２個であるので、複数の配線ＳＣを１本にまとめて入力端子４ａ，４ｂへ入力させている。
この配線のまとめ方は、組電池１を構成するコンデンサ２ａ，２ｂ，２ｃ，２ｄを複数のグループにグループ分けして、夫々のグループについて、同一のグループに属するコンデンサ２ａ，２ｂ，２ｃ，２ｄに対応する配線ＳＣが１つの配線へと接続され、それが入力端子４ａ，４ｂへ接続されている。すなわち、同一のグループに属するコンデンサ２ａ，２ｂ，２ｃ，２ｄに対応する配線が１つにまとめられて同一の入力端子４ａ，４ｂへ接続されており、具体的には、コンデンサ２ａ及びコンデンサ２ｃのグループが入力端子４ａへ接続され、コンデンサ２ｂ及びコンデンサ２ｄのグループが入力端子４ｂへ接続されている。
複数の配線ＳＣが１つの配線にまとめられる位置は、電圧検出用の配線ＳＣにおける、コンデンサ側スイッチ装置５ａ，５ｂ，５ｃ，５ｄよりも入力端子４ａ，４ｂ側の部分であり、もちろん、入力端子４ａ，４ｂの極近傍で接続されるものであっても良い。
【００２０】
複数のコンデンサ２ａ，２ｂ，２ｃ，２ｄのグループ分けの仕方は、直列に接続されているコンデンサ２ａ，２ｂ，２ｃ，２ｄの電位での並び順において隣り合うコンデンサ２ａ，２ｂ，２ｃ，２ｄが同じグループに属さないようにグループ分けする。
本実施の形態では、そのグループの数が最少となるように、電位での並び順において奇数番目の並び順のグループと偶数番目の並び順のグループとの２つのグループにグループ分けしている。
【００２１】
上記のような配線形態となっている電圧検出用の配線ＳＣには、その配線ＳＣを組電池１全体の負極側、すなわち、最も低電位側の単電池１ｄの負極側に接続するグラウンド接続用の配線ＧＣが接続されている。
以下、組電池１全体の負極側を、便宜上、「グラウンド」と称する。
グラウンド接続用の配線ＧＣは、前記グループの単位でまとめられた１つの配線夫々に対して接続され、上記のグループ毎に、電圧検出用の配線ＳＣにおける、コンデンサ側スイッチ装置５ａ，５ｂ，５ｃ，５ｄよりも入力端子４ａ，４ｂ側の部分に対して接続される関係となっている。従って、偶数番目の並び順のグループに対する配線ＧＣと奇数番目の並び順のグループに対する配線ＧＣとの２本が備えられている。
グラウンド接続用の配線ＧＣの途中箇所には、その配線の通電を入り切りするグラウンド接続用スイッチ装置６ａ，６ｂが備えられている。グラウンド接続用スイッチ装置６ａ，６ｂもアナログスイッチにて構成されている。
このグラウンドは、マイクロプロセッサ４のグラウンド端子へも接続され、マイクロプロセッサ４に内蔵されているＡ／Ｄコンバータは、このグラウンド端子と入力端子４ａ，４ｂとの間の電圧をデジタルデータに変換する。
【００２２】
電池側スイッチ装置３ａ，３ｂ，３ｃ，３ｄ、コンデンサ側スイッチ装置５ａ，５ｂ，５ｃ，５ｄ及びグラウンド接続用スイッチ装置６ａ，６ｂの開閉制御はマイクロプロセッサ４にて実行され、マイクロプロセッサ４はスイッチ制御装置ＣＣとしても機能する。
以下、マイクロプロセッサ４による、電池側スイッチ装置３ａ，３ｂ，３ｃ，３ｄ、コンデンサ側スイッチ装置５ａ，５ｂ，５ｃ，５ｄ及びグラウンド接続用スイッチ装置６ａ，６ｂに対する開閉制御を、各単電池１ａ，１ｂ，１ｃ，１ｄの電圧検出の手順に沿って、図２に示すタイミングチャートによって説明する。
電池側スイッチ装置３ａ，３ｂ，３ｃ，３ｄの開閉制御はマイクロプロセッサ４の「ＨＣ」で示す出力信号にて実行され、コンデンサ側スイッチ装置５ａ，５ｂ，５ｃ，５ｄの開閉制御はマイクロプロセッサ４の「ＳＣ４」，「ＳＣ３」，「ＳＣ２」及び「ＳＣ１」で示す出力信号で夫々実行され、グラウンド接続用スイッチ装置６ａ，６ｂの開閉制御はマイクロプロセッサ４の「ＧＣ２」及び「ＧＣ１」で示す出力信号で夫々実行される（図１参照）。
図２のタイミングチャートでは、マイクロプロセッサ４の各出力信号について、「Ｈレベル」で各スイッチ装置が閉じ状態（オン状態）、「Ｌレベル」で各スイッチ装置が開き状態（オフ状態）となるように図示しており、更に、制御上の各タイミングを「１」〜「１０」の番号を上部に付して示している。
【００２３】
組電池１に対する電圧検出のシーケンスが開始される前は全てのスイッチ装置は開き状態（オフ状態）となっている。
マイクロプロセッサ４は、電圧検出のシーケンスが開始されると、「ＨＣ」の出力信号によって、先ず図２の「１」のタイミングで電池側スイッチ装置３ａ，３ｂ，３ｃ，３ｄを一斉に閉じ状態として、各単電池１ａ，１ｂ，１ｃ，１ｄの電池電圧で、夫々が対応するコンデンサ２ａ，２ｂ，２ｃ，２ｄを充電する。
この充電が完了した後、「２」のタイミングで電池側スイッチ装置３ａ，３ｂ，３ｃ，３ｄを開き状態（オフ状態）に切換え、コンデンサ２ａ，２ｂ，２ｃ，２ｄを各単電池１ａ，１ｂ，１ｃ，１ｄから切り離す。
この後、充電されたコンデンサ２ａ，２ｂ，２ｃ，２ｄの夫々の保持電圧を前記入力端子４ａ，４ｂへ入力させるように制御する。
【００２４】
すなわち、先ず、「ＳＣ１」の出力信号によって、「２」のタイミングでコンデンサ側スイッチ装置５ｄを閉じ状態（オン状態）とする。
これによって、マイクロプロセッサ４の「Ａ／Ｄ１」で示す入力端子４ｂにコンデンサ２ｄの電圧が入力され、マイクロプロセッサ４は、「２」のタイミングと「３」のタイミングとの間の期間内に、グラウンドと入力端子４ｂとの間の電圧（すなわち、単電池１ｄの電圧）をデジタルデータとして取込む。
【００２５】
次ぎに、「ＧＣ１」の出力信号によって、「３」のタイミングでグラウンド接続用スイッチ装置６ｂを閉じ状態（オン状態）とする。
コンデンサ側スイッチ装置５ｄは閉じ状態（オン状態）を維持しているので、コンデンサ２ｃの低電位側がグラウンドに接続され、コンデンサ２ｄの電荷が放電される。
この後、「ＳＣ２」の出力信号によって、「４」のタイミングでコンデンサ側スイッチ装置５ｃを閉じ状態（オン状態）とする。
これによって、マイクロプロセッサ４の「Ａ／Ｄ２」で示す入力端子４ａにコンデンサ２ｃの高電位側が接続され、マイクロプロセッサ４は、「４」のタイミングと「５」のタイミングとの間の期間内に、グラウンドと入力端子４ａとの間の電圧（すなわち、単電池１ｃの電圧）をデジタルデータとして取込む。
【００２６】
次ぎに、「ＧＣ２」の出力信号によって、「５」のタイミングでグラウンド接続用スイッチ装置６ａを閉じ状態（オン状態）として、コンデンサ２ｂの低電位側がグラウンドに接続され、コンデンサ２ｃの電荷が放電される。
この後、「６」のタイミングで、「ＧＣ１」の出力信号によってグラウンド接続用スイッチ装置６ｂを開き状態（オフ状態）とすると共に「ＳＣ１」の出力信号によってコンデンサ側スイッチ装置５ｄを開き状態（オフ状態）とした後、「ＳＣ３」の出力信号によってコンデンサ側スイッチ装置５ｂを閉じ状態（オン状態）とする。
これによって、マイクロプロセッサ４の「Ａ／Ｄ１」で示す入力端子４ｂにコンデンサ２ｂの高電位側が接続され、マイクロプロセッサ４は、「６」のタイミングと「７」のタイミングとの間の期間内に、グラウンドと入力端子４ｂとの間の電圧（すなわち、単電池１ｂの電圧）をデジタルデータとして取込む。
このとき、コンデンサ側スイッチ装置５ｄ及びグラウンド接続用スイッチ装置６ｂは開き状態（オフ状態）であるので、これらのスイッチ装置を通じた干渉は発生しない。
【００２７】
次ぎに、「ＧＣ１」の出力信号によって、「７」のタイミングでグラウンド接続用スイッチ装置６ｂを閉じ状態（オン状態）として、コンデンサ２ａの低電位側がグラウンドに接続され、コンデンサ２ｂの電荷が放電される。
この後、「８」のタイミングで、「ＧＣ２」の出力信号によってグラウンド接続用スイッチ装置６ａを開き状態（オフ状態）とすると共に「ＳＣ２」の出力信号によってコンデンサ側スイッチ装置５ｃを開き状態（オフ状態）とした後、「ＳＣ４」の出力信号によってコンデンサ側スイッチ装置５ａを閉じ状態（オン状態）とする。
これによって、マイクロプロセッサ４の「Ａ／Ｄ２」で示す入力端子４ａにコンデンサ２ａの高電位側が接続され、マイクロプロセッサ４は、「８」のタイミングと「９」のタイミングとの間の期間内に、グラウンドと入力端子４ａとの間の電圧（すなわち、単電池１ａの電圧）をデジタルデータとして取込む。
このとき、コンデンサ側スイッチ装置５ｃ及びグラウンド接続用スイッチ装置６ａは開き状態（オフ状態）であるので、これらのスイッチ装置を通じた干渉は発生しない。
この後、「９」のタイミングで、「ＧＣ２」の出力信号によってグラウンド接続用スイッチ装置６ａを閉じ状態（オン状態）としてコンデンサ２ａを放電させ、「１０」のタイミングで全てのスイッチ装置を開き状態（オフ状態）として、電圧検出のシーケンスを終了する。
【００２８】
以上の各コンデンサ２ａ，２ｂ，２ｃ，２ｄの電圧検出のシーケンスをまとめると、マイクロプロセッサ４は、コンデンサ２ａ，２ｂ，２ｃ，２ｄ夫々の低電位側をグラウンドに接続し且つ高電位側を前記入力端子４ａ，４ｂへ接続する操作を、複数（４個）のコンデンサ２ａ，２ｂ，２ｃ，２ｄについて、低電位側から高電位側へと順次に繰り返すように、コンデンサ側スイッチ装置５ａ，５ｂ，５ｃ，５ｄ及びグラウンド接続用スイッチ装置６ａ，６ｂを開閉制御している。
この開閉制御によって、各単電池１ａ，１ｂ，１ｃ，１ｄに充電されたコンデンサ２ａ，２ｂ，２ｃ，２ｄ夫々の保持電圧を前記入力端子４ａ，４ｂへ入力させる。
【００２９】
〔別実施形態〕
以下、本発明の別実施形態を列記する。
（１）上記実施の形態では、グラウンド接続用の配線ＧＣの途中箇所に配置するグラウンド接続用スイッチ装置６ａ，６ｂとしてアナログスイッチを備える場合を例示しているが、これらのグラウンド接続用スイッチ装置６ａ，６ｂについては、一方の端子がグラウンドに接続されるという回路配置上、マイクロプロセッサ４に備えられているパラレルデータ出力ポートをグラウンド接続用スイッチ装置６ａ，６ｂとして利用することができる。
このためのパラレルデータ出力ポートとしては、３ステート出力，オープンドレインあるいはオープンコレクタ等のハイインピーダンス状態を作り出せる出力ポートであれば良い。
図１の回路のグラウンド接続用スイッチ装置６ａ，６ｂをパラレルデータ出力ポートで置き換えた場合の回路図を図３に示す。
図３に示す回路図では、パラレルデータ出力ポートとＡ／Ｄコンバータの入力ポートとが１つの端子で兼用されている仕様のマイクロプロセッサ４を使用する場合を示しており、このようなマイクロプロセッサ４を使用した場合は、配線自体も極めて簡素化できる。
図３の回路での電圧検出のための制御動作は上記実施の形態と全く同様である。
【００３０】
（２）上記実施の形態では、電池側スイッチ装置３ａ，３ｂ，３ｃ，３ｄ等のスイッチ装置としてアナログスイッチを例示しているが、メカニカルスイッチ等の各種のスイッチ装置を利用できる。
（３）上記実施の形態では、複数のコンデンサ２ａ，２ｂ，２ｃ，２ｄを２つのグループにグループ分けする場合を例示しているが、３グループ以上にグループ分けするようにしても良い。
【００３１】
（４）上記実施の形態では、Ａ／Ｄコンバータを内蔵したマイクロプロセッサ４を使用して、電圧検出用素子ＳＤとしての機能とスイッチ制御装置ＣＣとしての機能とをマイクロプロセッサ４で兼用させる場合を例示しているが、スイッチ制御装置ＣＣとして機能させるマイクロプロセッサ４とは別個に、電圧検出用素子ＳＤとしてのＡ／Ｄコンバータを備える構成としても良い。
（５）上記実施の形態では、コンデンサ２ａ，２ｂ，２ｃ，２ｄへの充電を同一のタイミングで行うように制御しているが、検出時間のばらつきによる測定誤差が許容範囲内でありさえすれば、コンデンサ２ａ，２ｂ，２ｃ，２ｄへの充電は必ずしも同一のタイミングでなくても良い。
【図面の簡単な説明】
【００３２】
【図１】本発明の実施の形態にかかる回路図
【図２】本発明の実施の形態にかかるタイミングチャート
【図３】本発明の別実施形態にかかる回路図
【図４】従来技術を説明する回路図
【符号の説明】
【００３３】
１                      組電池
１ａ，１ｂ，１ｃ，１ｄ  単電池
２ａ，２ｂ，２ｃ，２ｄ  コンデンサ
３ａ，３ｂ，３ｃ，３ｄ  電池側スイッチ装置
４ａ，４ｂ              入力端子
５ａ，５ｂ，５ｃ，５ｄ  コンデンサ側スイッチ装置
６ａ，６ｂ              グラウンド接続用スイッチ装置
ＣＣ                    スイッチ制御装置
ＧＣ                    グラウンド接続用の配線
ＳＣ                    電圧検出用の配線
ＳＤ                    電圧検出用素子
【図１】
2008175597.tif 000003
【図２】
2008175597.tif 000004
【図３】
2008175597.tif 000005
【図４】
2008175597.tif 000006